(57)【要約】【課題】装置の運搬姿勢を変えても安全で容易に運搬できる装置フレーム構造を得る。【解決手段】装置フレーム１４のうち底板フレーム１５、正面Ａ側及び側面Ｂ側のサイドフレーム１６には、把持具２０が固定され、この把持具２０に取付キャスタ２２を装着することができる。底面、正面Ａ、側面Ｂを床面に向けたときには、装着した取付キャスタ２２が装置本体１２を移動自在に支持する。これにより、装置本体１２の運搬姿勢を変えても安全で容易に運搬できる【選択図】      図１
2004296517.tif 000002
【特許請求の範囲】
【請求項１】
少なくとも横幅寸法または奥行き寸法が高さ寸法と異なる装置本体と、
前記装置本体の外枠を形成する装置フレームと、
前記装置フレームに着脱可能に設けられ、前記装置フレームの特定面に装着して前記特定面を床面に向けたときには装置本体を移動自在に支持するキャスタと、
を有することを特徴とする装置フレーム構造。
【請求項２】
前記装置フレームは、前記キャスタの一部と係合する係合手段を有することを特徴とする請求項１記載の装置フレーム構造。
【請求項３】
前記キャスタを取り外した状態で前記装置フレームに着脱可能に設けられ、装着したときには前記装置本体を覆う装置カバーを有することを特徴とする請求項１又は請求項２に記載の装置フレーム構造。
【請求項４】
前記係合手段は、前記装置カバーの一部と係合することを特徴とする請求項３記載の装置フレーム構造。
【発明の詳細な説明】
【０００１】
【発明の属する技術分野】
本発明は、事務機器などの装置本体の外枠を形成する装置フレーム構造に関する。
【０００２】
【従来の技術】
印刷用刷版供給装置などの事務機器には、装置幅と装置高さの寸法が大きくなる傾向にあるものがある（例えば、特許文献１参照）。
【０００３】
このような装置の搬入では、搬入する建物間口等の関係で、装置を横倒しにする等、装置の運搬姿勢を変えないと搬入ができない場合も少なくない。この場合に、装置を手で持って運搬するか、装置を一旦搬入台車等に載せて運搬する必要がある。ここで、搬入台車に載せる場合には、載せ方によっては、搬入台車に載せる面を損傷する恐れもある。
【０００４】
【特許文献１】
特開２０００−３５１４６０公報
【０００５】
【発明が解決しようとする課題】
本発明は、上記事実を考慮して、装置の運搬姿勢を変えても安全で容易に運搬できる装置フレーム構造を提供することを課題とする。
【０００６】
【課題を解決するための手段】
請求項１に記載する本発明の装置フレーム構造は、少なくとも横幅寸法または奥行き寸法が高さ寸法と異なる装置本体と、前記装置本体の外枠を形成する装置フレームと、前記装置フレームに着脱可能に設けられ、前記装置フレームの特定面に装着して前記特定面を床面に向けたときには装置本体を移動自在に支持するキャスタと、を有することを特徴とする。
【０００７】
請求項１に記載する本発明の装置フレーム構造によれば、装置フレームの特定面にキャスタを装着することができる。この特定面を床面に向けたときには、装着したキャスタが装置本体を移動自在に支持する。これにより、床面側に向けた面を損傷させることがなく、また、この状態で運搬する場合にも、装置を持ち上げて手で運搬したり、搬入台車等に載せたりしなくても容易かつ安全に運搬することができる。ここで、装置を横倒しにして運搬する等、装置の運搬姿勢を変えることで、装置の横幅、奥行き、高さの寸法が入れ替わるので、搬入通路の間口や高さに対応でき、このような場合にキャスタの着脱が可能であると便利である。
【０００８】
請求項２に記載する本発明の装置フレーム構造は、請求項１の構成において、前記装置フレームは、前記キャスタの一部と係合する係合手段を有することを特徴とする。
【０００９】
請求項２に記載する本発明の装置フレーム構造によれば、係合手段がキャスタの一部と係合して装置フレームにキャスタが装着される。このように、装置フレームに係合手段が形成されることで、キャスタを容易に装着することができる。
【００１０】
請求項３に記載する本発明の装置フレーム構造は、請求項１又は請求項２に記載の構成において、前記キャスタを取り外した状態で前記装置フレームに着脱可能に設けられ、装着したときには前記装置本体を覆う装置カバーを有することを特徴とする。
【００１１】
請求項３に記載する本発明の装置フレーム構造によれば、キャスタを取り外した状態では、装置フレームに装置カバーを装着でき、この状態で装置カバーは、装置本体を覆う。これにより運搬時にキャスタを取り付けた面以外の装置本体外面を保護することができる。また、キャスタを取り外した状態で装置カバーを装着するため、装置カバーを小さくすることができ、装置全体が無用に大きくなるのを防げる。
【００１２】
請求項４に記載する本発明の装置フレーム構造は、請求項３の構成において、前記係合手段は、前記装置カバーの一部と係合することを特徴とする。
【００１３】
請求項４に記載する本発明の装置フレーム構造によれば、係合手段と装置カバーの一部とが係合するので、簡易な構成で装置フレームに装置カバーを装着できる。
【００１４】
【発明の実施の形態】
本発明における装置フレーム構造の実施の形態を図面に基づき説明する。
【００１５】
図１は、オートローダ装置の装置フレームへの部品の装着を示す分解斜視図である。ここで、このオートローダ装置１０（印刷版自動露光装置のオートローダ部）について概略を説明する。図７には、印刷版露光装置の概略的な全体構成が示されている。図７に示すように、印刷版露光装置５０は、カセット部５２と、オートローダ部５４と、受渡部５６と、露光本体部５８と、の４個のブロックに分かれている。カセット部５２は、多数枚の印刷版を集積して収容している。印刷版の画像形成面は傷つき易く、この画像形成面保護のために印刷版の画像形成面には保護シートが重ね合わされており、これらが順次層状に積層されてカセット部５２に収容されている。オートローダ部５４では、カセット部５２に積層された複数枚の印刷版のうち最上層にある印刷版の一端部を吸盤によって吸着して他と分離し、１枚ずつ取り出して反転させながら受渡部５６へ搬送供給する。受渡部５６では、保護シートを集積すると共に、印刷版を露光本体部５８へ供給する。露光本体部５８では、供給された印刷版の画像形成層に光ビームを照射して画像を露光し、隣接の現像装置（図示省略）へ送り出す。なお、オートローダ部５４は、カセット部５２の複数カセットに対応させて印刷版を取り出すため大型化の傾向にある。
【００１６】
図１に示すように、オートローダ装置１０は、略直方体の装置本体１２を備え、装置本体１２の外枠として装置フレーム１４が形成されている。装置フレーム１４は、金属または樹脂によって形成されて全体として剛性を有すると共に、装置本体１２の外形寸法が大きくならないように薄肉であることが望ましい。この装置フレーム１４は、底面側に矩形板状の底板フレーム１５を備え、この底板フレーム１５の四辺部からは垂直上方向に枠状のサイドフレーム１６が立設配置されており、サイドフレーム１６の上部は底板フレーム１５に対向する上部フレーム１７とされている。ここで、装置フレーム１４の外形寸法である、横幅寸法ｗ１と奥行き寸法ｄ１と高さ寸法ｈ１との関係は、ｈ１＜ｄ１＜ｗ１となっている。
【００１７】
装置本体１２の底板フレーム１５の四隅には、取付キャスタ２２が装着されている。図２は、この取付キャスタ２２の取付部分における分解斜視図を示している。図２に示すように、底板フレーム１５には、円形状の開口を備える取付凹部１８が形成されている。この取付凹部１８の位置に合わせて係合手段としての把持具２０が、底板フレーム１５にねじ２１で固定されている。把持具２０は、樹脂で成形され、平板状の取付部２０Ａを備えており、この取付部２０Ａの中央には、取付凹部１８と略同径の取付孔２０Ｂが形成されて把持具２０の固定時に取付凹部１８に連通するようになっている。取付部２０Ａの両端部からは、取付部２０Ａに対して略垂直方向に一対の把持爪２０Ｃが対向配置されている。一対の把持爪２０Ｃには、互いの対向方向へ山部を形成して波状に屈曲する係合部２０Ｄが形成されている。一対の把持爪２０Ｃは、弾性を有しており、把持爪２０Ｃに対して互いが離れる方向へ力が加わると、自らの弾性により元の形状に戻る力が働くようになっている。
【００１８】
把持具２０には、取付キャスタ２２が取り付けられ、図１に示すように、装置本体１２を床面上で移動自在に支持している。図２に示すように、取付キャスタ２２は、円柱状の取付軸２２Ａを備えており、この取付軸２２Ａは、把持具２０の取付孔２０Ｂ及び底板フレーム１５の取付凹部１８に挿入されている。取付軸２２Ａには、取付部材２２Ｂが取付軸２２Ａに対して回転可能に取り付けられている。この取付部材２２Ｂには、把持具２０の係合部２０Ｄに対応する凹部２２Ｃが形成されている。取付軸２２Ａが取付孔２０Ｂ及び取付凹部１８に挿入され、凹部２２Ｃが係合部２０Ｄに係合することで、取付キャスタ２２は把持具２０に取り付けられる。取付軸２２Ａの先端部には、中央断面が略コ字形状からなる金属製の枠体２２Ｄが固定されている。取付軸２２Ａが取付部材２２Ｂ内を回転できるので、枠体２２Ｄは底板フレーム１５に対して水平旋回が可能となる。枠体２２Ｄ内には、枠体２２Ｄ内に側面を覆われるように車輪２２Ｅが回転自在に軸支されている。
【００１９】
また、枠体２２Ｄには、ストッパ２２Ｆが設けられている。ストッパ２２Ｆは、車輪２２Ｅの外周面の一部を覆うように形成されたた板状体である。これにより図５に示すように、装置本体１２を傾けた場合にストッパ２２Ｆが床面に接して一時的に装置本体１２を支持するので、車輪２２Ｅに直接荷重をかける時間が減って装置本体１２を確実に倒すことができる。
【００２０】
図１に示すように、装置本体１２の正面Ａ及び側面Ｂに配置されたサイドフレーム１６の四隅にも底板フレーム１５と同様に取付凹部１８が形成されて把持具２０がねじ２１で固定されており、取付キャスタ２２を取り付けることができる。把持具２０及び取付キャスタ２２は、底板フレーム１２で説明した構成と同様であるので、同一符号を付して説明を省略する。なお、図３は、サイドフレーム１６の把持具２０に取付キャスタ２２を取り付けた状態を示している。
【００２１】
図１に示すように、正面Ａ及び側面Ｂに配置されたサイドフレーム１６には、装置カバー２８を装着できるようになっている。装置カバー２８は、長方形状の略箱状とされ、金属または樹脂によって形成されている。この装置カバー２８は、装置本体１２の外面に露出された面を保護すると共に、デザイン性の観点から隠蔽手段としての機能も果たすものである。図６は、装置カバー２８の取付状態を示し、図６（Ａ）は、図１の６（Ａ）−６（Ａ）端面における取付状態を示し、図６（Ｂ）は、図１の６（Ｂ）−６（Ｂ）端面における取付状態を示している。
【００２２】
図６（Ａ）に示すように、装置カバー２８の内側表面（取付面）の図中にて上部には、係合部２０Ｄの溝２０Ｅに挿入されて係合する突起部３０が形成されている。この突起部３０は、図１に示すように、把持具２０に対応して２個設けられている。図６（Ｂ）に示すように、装置カバー２８の内側表面の図中にて上部には、断面略Ｊ字状に屈曲した第１弾性片３１が形成され、第１弾性片３１の先端側は、傾斜状にガイド片３１Ａが備えられている。また、装置カバー２８の内側表面（取付面）の図中にて下部には、断面波状に屈曲した第２弾性片３２が形成され、第２弾性片３２の先端側には傾斜状にガイド片３２Ａが備えられている。この第２弾性片３２は、図１に示すように、同一形状のものが２個並設されている。図６（Ａ）に示す突起部３０を係合部２０Ｄの溝２０Ｅに上から挿入して係合した後、図６（Ｂ）に示す第１弾性片３１をガイド片３１Ａで案内させてサイドフレーム１６の端縁部１６Ａに係合させ、この状態で装置カバー２８をサイドフレーム１６側へ押圧することにより第２弾性片３２がガイド片３２Ａに案内されながら変形されてサイドフレーム１６の端縁部１６Ａに係合される。
【００２３】
また、図６（Ｂ）に示すように、装置カバー２８内には、キャスタ収納部３４が設けられている。キャスタ収納部３４は、取付キャスタ２２の取付部材２２Ｂを嵌入可能な凹状の嵌入部３４Ａを備える。キャスタ収納部３４では、取付キャスタ２２の車輪軸心Ｏが装置カバー２８の内面２８Ａに垂直とされた状態で取付部材２２Ｂが嵌入部３４Ａに嵌入保持されることで、取付キャスタ２２を収納できるようになっている。
【００２４】
なお、図１に示す正面Ａ及び側面Ｂのそれぞれ反対面のサイドフレーム１６と、上部フレーム１７とには、ほぼ上記と同様に第１、第２弾性片３１、３２が各フレーム１６、１７の端縁部に係合して装置カバー２８が取り付けられるようになっている。
【００２５】
次に、上記の実施形態の作用を説明する。
【００２６】
通常時には、図４（Ａ）に示すように、底板フレーム１５の取付キャスタ２２が装置本体１２を移動自在に支持するので、車輪２２Ｅの向きに合わせて（矢印Ｆ方向に）移動することができる。
【００２７】
図１に示す装置本体１２の正面Ａ側を床面側に向けてオートローダ装置１０を立てる場合には、正面Ａ側の装置カバー２８が取り外される。次に、正面Ａのサイドフレーム１６に取付キャスタ２２を装着する。サイドフレーム１６には、把持具２０が固定されているので、取付キャスタ２２を容易に装着することができる。その後、装置本体１２を傾ける。このときの状態を示したのが、図５である。通常状態では、図５（Ａ）に示すように、底面側の取付キャスタ２２の車輪２２Ｅのみが床面に接している。装置本体１２を少し傾けると底面側のストッパ２２Ｆが床面に接し（図５（Ｂ））、もう少し傾けると、底面側及び正面Ａ側のストッパ２２Ｆが床面に接して装置本体１２を支持する（図５（Ｃ））。さらに傾けると、正面Ａ側のストッパ２２Ｆと車輪２２Ｅとが床面に接し（図５（Ｄ））、最終的には、正面Ａ側の車輪２２Ｅのみが床面に接する（図５（Ｅ））。この場合、図４（Ｂ）に示すように、正面Ａ側に装着された取付キャスタ２２が装置本体１２を移動自在に支持するので、取付キャスタ２２の車輪２２Ｅの向きに合わせて（矢印Ｆ方向に）移動することができる。
【００２８】
また、図１に示す装置本体１２の側面Ｂ側を床面側に向けてオートローダ装置１０を立てる場合には、装置カバー２８が取り外される。次に、側面Ｂのサイドフレーム１６に取付キャスタ２２を装着し、装置本体１２を傾ける。このときの状態は、前述の正面Ａ側を床面側に向ける場合と同様である。側面Ｂ側を床面側に向けて立てた場合、図４（Ｃ）に示すように、側面Ｂ側に装着された取付キャスタ２２が装置本体１２を移動自在に支持するので、取付キャスタ２２の車輪２２Ｅの向きに合わせて（矢印Ｆ方向に）移動することができる。
【００２９】
このように、図１に示す装置本体１２の正面Ａや側面Ｂを床面側に向けた場合も取付キャスタ２２が移動自在に支持するので、床面側に向けた面が床面に接することがなく、この面を損傷させることがない。しかも、床面から伝わる衝撃が取付キャスタ２２に吸収されるため、内部機構に与える悪影響がない。また、正面Ａや側面Ｂを床面側に向けて運搬する場合にも、オートローダ装置１０を持ち上げて手で運搬したり、搬入台車等に載せたりしなくても、取付キャスタ２２を利用して容易かつ安全に運搬することができる。
【００３０】
ここで、正面Ａや側面Ｂを床面側に向けてオートローダ装置１０を立てることで、搬入通路に対するオートローダ装置１０の横幅方向Ｗ、奥行き方向Ｄ、高さ方向Ｈの各寸法が変わることになるので、搬入通路の間口や高さに応じてオートローダ装置１０を横倒しする等により運搬が可能となる場合がある。
【００３１】
例えば、搬入路の間口の寸法が通常状態のオートローダ装置１０の横幅方向Ｗや奥行き方向Ｄの寸法より小さいが、オートローダ装置１０の高さ方向Ｈの寸法よりは大きく、一方、搬入路の高さの寸法が、オートローダ装置１０の側面Ｂ側に取付キャスタ２２を取り付けた状態の横幅方向Ｗの寸法より大きいような場合には、（図４（Ａ）のような）通常の運搬では、搬入路を通過できないが、側面Ｂ側から装置カバー２８を取り外して取付キャスタ２２を装着し、側面Ｂ側を床面側に向けてオートローダ装置１０を立てたうえ、図４（Ｃ）のように運搬すれば、搬入路を通過することができる。また、正面Ａ側、側面Ｂ側に取付キャスタ２２を装着できると、曲がった搬入路等での方向転換においても有効である。
【００３２】
なお、装置カバー２８により、運搬時に取付キャスタ２２を取り付けた面以外の装置本体１２外面を保護することができる。また、取付キャスタ２２を取り外した状態で装置カバー２８を装着するため、装置カバー２８を小さくすることができ、オートローダ装置１０全体が無用に大きくなるのを防げる。
【００３３】
なお、上記の実施の形態では、オートローダ装置を例に挙げて装置フレーム構造を説明したが、例えば、カセット装置等のオートローダ装置以外の装置であっても良い。
【００３４】
また、上記の実施の形態では、装置フレームの外形寸法である、横幅寸法ｗ１と奥行き寸法ｄ１と高さ寸法ｈ１との関係が、ｈ１＜ｄ１＜ｗ１となっている場合を例に挙げて説明したが、これに限定されず、少なくとも横幅寸法または奥行き寸法が高さ寸法と異なれば良い。
【００３５】
さらに、上記の実施の形態では、取付キャスタには、車輪を備えるタイプを例に挙げて具体的に説明したが、例えば、ボール状の転がり部材を備えるタイプであっても良く、本発明は実施例の取付キャスタに限定されない。また、取付キャスタの配置についても各フレームの四隅に限定されない。なお、車輪を備える取付キャスタの場合、車輪の方向を規制する機構を備えた取付キャスタとしても良い。
【００３６】
【発明の効果】
以上説明したように、本発明の装置フレーム構造によれば、装置の運搬姿勢を変えても安全で容易に運搬できるという優れた効果を有する。
【図面の簡単な説明】
【図１】本発明の実施の形態に係るオートローダ装置の装置フレームへの部品の装着を示す分解斜視図である。
【図２】本発明の実施の形態に係る取付キャスタの取付部分を示す分解斜視図である。
【図３】本発明の実施の形態に係るオートローダ装置のサイドフレームの把持具に取付キャスタを取り付けた状態を示す斜視図である。
【図４】本発明の実施の形態に係るオートローダ装置における運搬状態を示す概略斜視図である。
（Ａ）通常時の運搬状態を示す概略斜視図である。
（Ｂ）正面Ａ側の取付キャスタで移動する場合の運搬状態を示す概略斜視図である。
（Ｃ）側面Ｂ側の取付キャスタで移動する場合の運搬状態を示す概略斜視図である。
【図５】装置本体の正面Ａ側を床面側に向けてオートローダ装置を立てる場合を示す概略図である。
（Ａ）底面側の取付キャスタの車輪のみが床面に接している状態を示す概略図である。
（Ｂ）底面側のストッパが床面に接した状態を示す概略図である。
（Ｃ）底面側及び正面Ａ側のストッパが床面に接して装置本体を支持する状態を示す概略図である。
（Ｄ）正面Ａ側のストッパと車輪とが床面に接した状態を示す概略図である。
（Ｅ）正面Ａ側の車輪のみが床面に接した状態を示す概略図である。
【図６】装置カバーの取付状態を示す端面図である。
（Ａ）図１の６（Ａ）−６（Ａ）端面図である。
（Ｂ）図１の６（Ｂ）−６（Ｂ）端面図である。
【図７】印刷版露光装置の全体構成を示す概略図である。
【符号の説明】
１２    装置本体
１４    装置フレーム
１５    底板フレーム（装置フレーム）
１６    サイドフレーム（装置フレーム）
１７    上部フレーム（装置フレーム）
２０    把持具（係合手段）
２２    取付キャスタ（キャスタ）
２８    装置カバー
ｄ１    奥行き寸法
ｈ１    高さ寸法
ｗ１    横幅寸法
【図１】
2004296517.tif 000003
【図２】
2004296517.tif 000004
【図３】
2004296517.tif 000005
【図４】
2004296517.tif 000006
【図５】
2004296517.tif 000007
【図６】
2004296517.tif 000008
【図７】
2004296517.tif 000009